(57)【要約】【課題】  照明装置を用いる際にユーザーの意図に合わせて撮影条件の設定を行うことができるようにする。【解決手段】  撮像装置は、測光結果に基づいて照明装置の発光判定を行い前記照明装置の発光量を自動設定するとともに撮影感度を自動設定する第１のモードと、測光結果に基づいて前記照明装置の発光判定を行うことなく前記照明装置の発光量を自動設定するとともに前記第１のモードよりも撮影感度を高くすることを優先して撮影感度を自動設定する第２のモードと、を選択可能な第１の選択手段を有し、前記照明装置は、前記第１のモードに対応する第１の発光モードと、前記第２のモードに対応する第２の発光モードと、を選択可能な第２の選択手段を有し、前記撮像システムは、前記第２のモードと前記第１の発光モードのいずれか一方が選択されているときに、他方が選択されないように制御する制御手段を有する。【選択図】  図３
2020003581.tif 000002
【特許請求の範囲】
【請求項１】
撮像装置と照明装置とを有する撮像システムであって、
前記撮像装置は、
測光結果に基づいて前記照明装置の発光判定を行い前記照明装置の発光量を自動設定するとともに撮影感度を自動設定する第１のモードと、測光結果に基づいて前記照明装置の発光判定を行うことなく前記照明装置の発光量を自動設定するとともに前記第１のモードよりも撮影感度を高くすることを優先して撮影感度を自動設定する第２のモードと、を選択可能な第１の選択手段を有し、
前記照明装置は、
前記第１のモードに対応する第１の発光モードと、前記第２のモードに対応する第２の発光モードと、を選択可能な第２の選択手段を有し、
前記撮像システムは、
前記第２のモードと前記第１の発光モードのいずれか一方が選択されているときに、前記第２のモードと前記第１の発光モードの他方が選択されないように制御する制御手段を有することを特徴とする撮像システム。
【請求項２】
照明装置を用いた発光撮影が可能な撮像装置であって、
測光結果に基づいて前記照明装置の発光判定を行い前記照明装置の発光量を自動設定するとともに撮影感度を自動設定する第１のモードと、測光結果に基づいて前記照明装置の発光判定を行うことなく前記照明装置の発光量を自動設定するとともに前記第１のモードよりも撮影感度を高くすることを優先して撮影感度を自動設定する第２のモードと、を選択可能な選択手段と、
前記照明装置の発光モードに関する情報を受信する受信手段と、
前記受信手段により前記照明装置の発光モードが前記第１のモードに対応する発光モードであることを受信した場合、前記第２のモードが選択されないように制御する制御手段と、を有することを特徴とする撮像装置。
【請求項３】
前記選択手段により選択可能なモードを表示する表示手段を有し、
前記制御手段は、前記受信手段により前記照明装置の発光モードが前記第１のモードに対応する発光モードであることを受信した場合と前記第２のモードに対応する発光モードであることを受信した場合とで、前記表示手段による選択可能なモードに関する表示の形態を変更することを特徴とする請求項２に記載の撮像装置。
【請求項４】
前記制御手段は、前記受信手段により前記照明装置の発光モードが前記第１のモードに対応する発光モードであることを受信した場合、前記第２のモードが選択できないことを示す情報を前記表示手段に表示させることを特徴とする請求項３に記載の撮像装置。
【請求項５】
測光結果に基づいて照明装置の発光判定を行い当該照明装置の発光量を自動設定するとともに撮影感度を自動設定する第１のモードと、測光結果に基づいて照明装置の発光判定を行うことなく当該照明装置の発光量を自動設定するとともに前記第１のモードよりも撮影感度を高くすることを優先して撮影感度を自動設定する第２のモードと、を選択可能な撮像装置に着脱可能な照明装置であって、
前記第１のモードに対応する第１の発光モードと、前記第２のモードに対応する第２の発光モードと、を選択可能な選択手段と、
前記発光モードに関する情報を接続された撮像装置に送信する送信手段と、
前記選択手段により前記第１の発光モードが選択されている場合、前記送信手段により前記第２の発光モードを有することを前記接続された撮像装置に送信させない制御手段と、を有することを特徴とする照明装置。
【請求項６】
前記制御手段は、前記選択手段により前記第２の発光モードが選択されている場合、前記送信手段により前記第２の発光モードを有することを前記接続された撮像装置に送信させることを特徴とする請求項５に記載の照明装置。
【請求項７】
撮像装置と照明装置とを有する撮像システムの制御方法であって、
測光結果に基づいて前記照明装置の発光判定を行い前記照明装置の発光量を自動設定するとともに撮影感度を自動設定する第１のモードと、測光結果に基づいて前記照明装置の発光判定を行うことなく前記照明装置の発光量を自動設定するとともに前記第１のモードよりも撮影感度を高くすることを優先して撮影感度を自動設定する第２のモードと、を選択可能な第１の選択ステップと、
前記第１のモードに対応する第１の発光モードと、前記第２のモードに対応する第２の発光モードと、を選択可能な第２の選択ステップと、を有し、
前記第１の選択ステップおよび前記第２の選択ステップは、前記第２のモードと前記第１の発光モードのいずれか一方が選択されているときに、前記第２のモードと前記第１の発光モードの他方が選択されないようにすることを特徴とする撮像システムの制御方法。
【発明の詳細な説明】
【技術分野】
【０００１】
本発明は、撮像装置と照明装置を有する撮像システムに関する。
【背景技術】
【０００２】
被写体の輝度が低い場合、シャッター速度、絞り値、ＩＳＯ感度などの露出制御値を変えても適正露出が得られないと、照明装置であるストロボ装置によって被写体に光を照射して撮影を行う自動発光機能を有するカメラが知られている。
【０００３】
また、特許文献１には、プリ発光結果から撮影時の発光量を算出し、所定の発光量と比較して、プリ発光結果から算出した発光量の方が大きい場合は、所定の発光量で発光し、差分をＩＳＯ感度で補正する方法が開示されている。
【先行技術文献】
【特許文献】
【０００４】
【特許文献１】特開２００９−２７６５２５号公報
【発明の概要】
【発明が解決しようとする課題】
【０００５】
しかしながら、特許文献１に開示された技術では、自動でＩＳＯ感度を補正するため、自動発光機能と組み合わせた場合、自動発光機能により決定した露出制御値に対してＩＳＯ感度が変化してしまい、良好な自動発光撮影ができなくなるおそれがある。一方、発光撮影時の露出制御値によっては必要な発光量が大きくなり、照明装置を発光させて連続撮影を行う場合に照明装置の充電や放熱制御などにより撮影間隔が長くなってしまうおそれがある。
【０００６】
そこで、本発明の目的は、照明装置を用いる際にユーザーの意図に合わせて撮影条件の設定を行うことができるようにすることである。
【課題を解決するための手段】
【０００７】
上記目的を達成するために、本発明にかかる撮像システムは、撮像装置と照明装置とを有する撮像システムであって、前記撮像装置は、測光結果に基づいて前記照明装置の発光判定を行い前記照明装置の発光量を自動設定するとともに撮影感度を自動設定する第１のモードと、測光結果に基づいて前記照明装置の発光判定を行うことなく前記照明装置の発光量を自動設定するとともに前記第１のモードよりも撮影感度を高くすることを優先して撮影感度を自動設定する第２のモードと、を選択可能な第１の選択手段を有し、前記照明装置は、前記第１のモードに対応する第１の発光モードと、前記第２のモードに対応する第２の発光モードと、を選択可能な第２の選択手段を有し、前記撮像システムは、前記第２のモードと前記第１の発光モードのいずれか一方が選択されているときに、前記第２のモードと前記第１の発光モードの他方が選択されないように制御する制御手段を有することを特徴とする。
【発明の効果】
【０００８】
本発明によれば、照明装置を用いる際にユーザーの意図に合わせて撮影条件の設定を行うことができる。
【図面の簡単な説明】
【０００９】
【図１】本発明の実施形態にかかる撮像システムの構成例を示す図
【図２】本発明の実施形態にかかる撮像システムの動作を示す図
【図３】本発明の実施形態にかかるカメラ本体部１００とストロボ装置３００との情報の送受信に関するストロボ装置３００の動作を示す図
【発明を実施するための形態】
【００１０】
以下に、本発明の好ましい実施の形態を、添付の図面に基づいて詳細に説明する。
【００１１】
図１は、本発明の実施形態にかかる撮像システムの構成例を示す図であり、カメラ本体部１００、レンズ部２００、ストロボ装置３００を含む。撮像装置であるカメラ本体部１００の前面には着脱可能なレンズ部２００が装着されていて、カメラ本体部１００とレンズ部２００は、マウント接点群１０３を介して電気的に接続されている。カメラ本体部１００の上面には着脱可能な照明装置であるストロボ装置３００が装着されていて、カメラ本体部１００とストロボ装置３００は、ストロボ接点群１０９を介して電気的に接続されている。なお、以下の実施形態では、カメラ本体部に対してレンズ部及びストロボ装置が着脱可能な撮像システムを説明するが、レンズ部とストロボ装置の少なくとも一方がカメラ本体部と一体となっている撮像システムでもよい。
【００１２】
まず、カメラ本体部１００の構成について説明する。カメラ制御部１０１は、メモリに格納されたプログラムにしたがってカメラ本体部１００の各部の動作を制御するマイクロコンピューターである。
【００１３】
撮像素子１０２は、撮影レンズ２０２を通して入射する被写体からの光を電気信号に変換して画像データを生成するＣＭＯＳセンサやＣＣＤセンサであって、生成した画像データをカメラ制御部１０１へ出力する。
【００１４】
シャッター１０４は、撮像素子１０２と撮影レンズ２０２との間に配置され、カメラ制御部１０１の指示により動作する。シャッター１０４は、複数枚のシャッター羽根からなる先幕と後幕で構成され、先幕が走行しシャッター開口が開くことにより撮像素子１０２が露光され、後幕が走行しシャッター開口が閉じることで撮像素子１０２が遮光される。なお、撮像素子１０２の露光時間制御は、シャッター１０４の先幕及び後幕の少なくとも一方の代わりにいわゆる電子シャッターを用いてもよい。
【００１５】
カメラ操作部１０５は、ユーザーが操作する操作部材を備えており、カメラ本体部１００に取り付けられたボタン、スイッチ、ダイヤル、接続機器等を介してユーザーが行った操作を検知し、操作指示に応じた信号をカメラ制御部１０１へ出力する。例えば、カメラ操作部１０５は、ユーザーがレリーズボタンを半押し操作した場合に発する指示信号（以下、ＳＷ１信号という）と、レリーズボタンを全押し操作した場合に発する指示信号（以下、ＳＷ２信号という）をカメラ制御部１０１に出力する。また、カメラ操作部１０５への操作によりカメラ本体部１００の発光撮影モードを選択可能である。選択可能な発光撮影モードには、被写体を測光した測光結果に基づいて発光判定を行いストロボ装置の発光量を自動設定する自動発光撮影モード、測光結果に基づいて発光判定を行うことなくストロボ装置の発光量を自動設定する強制発光撮影モードなどがある。
【００１６】
カメラ表示部１０６は、カメラ制御部１０１の指示により、液晶パネルや有機ＥＬパネルなどの表示画面に撮影情報の表示や撮影画像の表示を行う。
【００１７】
カメラ制御部１０１は、カメラ操作部１０５の出力信号に基づいて、カメラ本体部１００の動作制御やレンズ部２００及びストロボ装置３００への指示を行う。カメラ操作部１０５からＳＷ１信号が出力された場合、カメラ制御部１０１は、撮像素子１０２を駆動して画像データを取得し、取得した画像データから被写体の輝度を測定する。そして、測定結果から撮影時に使用するシャッター速度、絞り値、ＩＳＯ感度などの露出制御値を決定する。決定した露出制御値は、カメラ表示部１０６の表示画面上に表示される。カメラ操作部１０５からＳＷ２信号が出力された場合、カメラ制御部１０１は、レンズ部２００の絞り２０３を駆動し、撮像素子１０２の感度（ＩＳＯ感度）を設定して、シャッター１０４を制御して撮像素子１０２の露光を開始させる。露光終了後、カメラ制御部１０１は、撮像素子１０２から取得した画像データに基づいてカメラ表示部１０６の表示画面上に撮影画像を表示させるとともに、メモリカードなどの画像記憶部１０７へ画像データを書き込む制御を行う。
【００１８】
次に、レンズ部２００の構成について説明する。
【００１９】
レンズ制御部２０１は、メモリに格納されたプログラムにしたがってレンズ部２００の各部の動作を制御するマイクロコンピューターである。撮影レンズ２０２は、ピントを調整するためのフォーカスレンズなどを含む単数または複数のレンズにより構成され、被写体像を撮像素子１０２に結像させる。さらに、撮像素子１０２に入射する光量を調節するための絞り２０３を備えている。レンズ制御部２０１は、マウント接点群１０３を介したカメラ制御部１０１からの指示にしたがって、撮影レンズ２０２や絞り２０３を制御する。
【００２０】
次に、ストロボ装置３００の構成について説明する。
【００２１】
ストロボ制御部３０１は、メモリに格納されたプログラムにしたがってストロボ装置３００の各部の動作を制御するマイクロコンピューターである。ストロボ制御部３０１は、ストロボ接点群１０９を介してカメラ制御部１０１と通信可能であって、カメラ制御部１０１からの発光指示やカメラ情報を受信し、カメラ制御部１０１へストロボ情報を送信する。発光部３０２は、光源である放電管、発光用コンデンサ、発光回路、発光光学系を含んでいて、閃光発光を行うことができる。なお、光源はＬＥＤなどの継続発光可能なものでもよい。
【００２２】
ストロボ操作部３０３は、ユーザーが操作する操作部材を備えており、ストロボ装置３００に取り付けられたボタン、ダイヤルなどを介してユーザーが行った操作を検知し、操作指示に応じた信号をストロボ制御部３０１へ出力する。例えば、ストロボ操作部３０３をユーザーが操作することで、カメラが自動的に発光量を決定する自動調光モード、カメラが自動的に連写撮影に適した発光量を決定する連写優先自動調光モード、ユーザーが発光量を指定するマニュアル発光モードを設定できる。連写優先自動調光モードは、自動調光モードよりも連続発光が可能なように、自動調光モードよりも発光量を抑えることを優先したモードである。
【００２３】
ストロボ表示部３０４は、ストロボ制御部３０１の指示により、液晶パネルや有機ＥＬパネルなどの表示画面に発光モードなどの表示を行う。光パルス受信部３０５は、他のストロボ装置や通信装置の発光部から発せられた光パルスを受信し、受信結果をストロボ制御部３０１に出力する。
【００２４】
発光部３０２は、ストロボ制御部３０１の指示により、発光回路を駆動し、発光用コンデンサに充電されたエネルギーを放電管に放出することにより発光を行い、発光光学系を介して、ストロボ光を被写体に照射する。発光量については、ストロボ操作部３０３へのユーザー操作によって設定してもよいし、ストロボ接点群１０９を介して、カメラ制御部１０１から通信により取得してもよい。ストロボ制御部３０１は、ストロボ接点群１０９を介して、カメラ制御部１０１からの制御信号を受けて、カメラ本体部１００の露光動作に同期して発光部３０２を発光させることができる。また、ストロボ制御部３０１は、データを所定のパターンに変換し、発光部３０２を駆動して光パルスのパターンを他のストロボ装置や通信装置に向けて発光することで、他のストロボ装置や通信装置にデータを送信することができる。受信側のストロボ装置のストロボ制御部は、光パルス受信部で受信した光パルスのパターンを解析することでデータを受信することができる。例えば、受信データが発光命令であった場合は、受信側のストロボ装置のストロボ制御部は、発光部を駆動して発光命令に従った発光を行う。
【００２５】
以下、図２のフローチャートを参照して、本実施形態における撮像システムの動作について説明する。図２は、主にカメラ制御部１０１の動作を示すフローチャートであり、例えば、カメラ操作部１０５の出力信号がＳＷ１信号である場合に動作が開始される。
【００２６】
まず、ステップＳ２０１で、カメラ制御部１０１は、ストロボ装置３００に対してカメラ情報の送信を行う。ここで送信するカメラ情報は、当該カメラで設定している発光撮影モードを含む情報であり、発光撮影モードには、自動発光撮影モード、強制発光撮影モードなどがある。
【００２７】
ステップＳ２０２で、カメラ制御部１０１は、ストロボ装置３００からストロボ情報の受信を行う。ここで受信するストロボ情報は、当該ストロボ装置の発光モードを含む情報であり、ストロボ装置が、自動調光モード、連写優先自動調光モード、マニュアル発光モードのいずれに設定されているかを示す情報を含む。ステップＳ２０１とステップＳ２０２で説明した情報の送受信についての詳細は後述する。
【００２８】
ステップＳ２０３で、カメラ制御部１０１は、ステップＳ２０２で受信したストロボ装置の発光モードが連写優先自動調光モードであるか否かを判定する。連写優先自動調光モードであれば、ステップＳ２０４に進み、連写優先自動調光モードでなければステップＳ２０７に進む。
【００２９】
ステップＳ２０４で、カメラ制御部１０１は、連写撮影が設定されているかどうかを判定する。連写撮影が設定されていればステップＳ２０５に進み、設定されていなければステップＳ２０７に進む。連写撮影の設定は、ユーザーがカメラ操作部１０５を操作することにより設定することが可能であり、設定値（連写速度の高速／低速など）はカメラ表示部１０６に表示される。
【００３０】
ステップＳ２０５で、カメラ制御部１０１は、撮影感度（ＩＳＯ感度）を自動設定する自動設定モードであるか、ユーザーがＩＳＯ感度を任意の値に設定するマニュアル設定モードかを判定する。自動設定モードであればステップＳ２０７に進み、マニュアル設定モードであればステップＳ２０６に進む。ＩＳＯ感度の設定モードおよびマニュアル設定モード時の設定値は、ユーザーがカメラ操作部１０５を操作することにより設定することが可能であり、モードおよび設定値はカメラ表示部１０６に表示される。
【００３１】
ステップＳ２０６で、カメラ制御部１０１は、ＩＳＯ感度の設定モードをマニュアル設定モードから自動設定モードに変更する。ＩＳＯ感度を自動設定とすることで、後述の露出制御値演算でＩＳＯ感度をカメラ制御部１０１が自由に変更することが可能となる。さらに、カメラ制御部１０１は、ユーザーによるＩＳＯ感度変更を禁止する。このとき、ＩＳＯ感度の設定が変更できないことをユーザーに示すために、例えば、カメラ表示部１０６に表示しているＩＳＯ感度を点滅表示させる、表示色を変更するなどの警告表示を行ってもよい。
【００３２】
ステップＳ２０７で、カメラ制御部１０１は、被写体の輝度を測定する測光制御を行う。測光制御は、例えば、撮像素子１０２を駆動して画像データを取得し、取得した画像データから被写体の輝度を測定する。その他、測光用のセンサを有する構成では、測光用のセンサの受光結果から被写体の輝度を測定してもよい。
【００３３】
ステップＳ２０８で、カメラ制御部１０１は、ステップＳ２０７で得られた測光結果から撮影時に使用するシャッター速度、絞り値、ＩＳＯ感度といった露出制御値を決定する。また、自動発光撮影モードが設定されている場合、カメラ制御部１０１は、発光撮影を行うか否かの判定を行う。ステップＳ２０８で決定した露出制御値で適正露出が得られないとき、カメラ制御部１０１は発光撮影を行うと判定する。
【００３４】
ステップＳ２０９で、カメラ制御部１０１は、ステップＳ２０２で受信したストロボ装置の発光モードが連写優先自動調光モードであるか否かを判定する。連写優先自動調光モードであれば、ステップＳ２１０に進み、そうでなければステップＳ２１１に進む。
【００３５】
ステップＳ２１０で、カメラ制御部１０１は、ステップＳ２０８で演算したＩＳＯ感度に所定値を足す演算を行い、演算結果を新たなＩＳＯ感度として決定する。なお、ステップＳ２０８で演算したＩＳＯ感度に所定値を足す演算は、ＩＳＯ感度を高くする方法の一例であって、異なる方法であっても構わない。例えば、ステップＳ２０８で用いる第１のプログラム線図よりもＩＳＯ感度が高くなる第２のプログラム線図をステップＳ２１０で用いることで、ステップＳ２０８で演算したＩＳＯ感度よりもステップＳ２１０で演算したＩＳＯ感度が高くなるようにしてもよい。また、ステップＳ２０９で用いる所定値は、固定値であってもステップＳ２０８で演算したＩＳＯ感度に応じて変化する値であってもよい。
【００３６】
カメラ制御部１０１は、ステップＳ２０８、ステップＳ２１０で演算されたシャッター速度、絞り値、ＩＳＯ感度をカメラ表示部１０６に表示する。カメラ表示部１０６に表示することで、ユーザーに撮影時の露出制御値を確認することができる。
【００３７】
ステップＳ２１１で、カメラ制御部１０１は、撮影指示が行われているかどうかの判定を行う。例えば、ユーザーがレリーズボタンを全押し操作して、ＳＷ２信号がＯＮになっていれば、撮影指示が行われていると判定する。撮影指示が行われていると判定すればステップＳ２１２に進み、そうでなければステップＳ２０１に戻り処理を繰り返す。
【００３８】
ステップＳ２１２で、カメラ制御部１０１は、ステップＳ２０８、ステップＳ２１０で演算したシャッター速度、絞り値、ＩＳＯ感度を用いて撮影を実行して本処理を終了する。撮影時には、強制発光撮影モードが設定されている場合または自動発光撮影モードが設定されていて発光撮影すると判定された場合、ストロボ装置による発光を撮影に同期させて行うことができる。ストロボ装置の発光モードが自動調光モード、または、連写優先自動調光モードの場合、カメラ制御部１０１はストロボ発光量を決定し、ストロボ接点群１０９を介してストロボ制御部３０１に送信する。ストロボ発光量は、例えば、ＳＷ２操作から撮影までの間にプリ発光を行うと同時に撮像素子１０２を駆動して画像データを取得し、取得した画像データと撮影時のシャッター速度、絞り値、ＩＳＯ感度から公知の方法を用いて決定する。
【００３９】
続いて、カメラ本体部１００とストロボ装置３００との情報の送受信に関するストロボ装置３００の動作について図３のフローチャートを用いて説明する。図３は、主に図２のステップＳ２０１とステップＳ２０２に関するシーケンスである。
【００４０】
ステップＳ３０１で、ストロボ制御部３０１は、ユーザーのストロボ操作部３０３への操作に応じて、発光モード選択画面をストロボ表示部３０４に表示する。表示する発光モードは、自動調光モード、連写優先自動調光モード、マニュアル発光モードを含む。ユーザーはストロボ操作部３０３によって、表示された発光モードから任意の発光モードを選択可能である。なお、発光モードの設定方法は、発光モード選択画面を表示しないダイヤルによる選択などでもよい。
【００４１】
ステップＳ３０２で、ストロボ制御部３０１は、ユーザーのストロボ操作部３０３への操作に応じて発光モードを変更（設定）する。
【００４２】
ステップＳ３０３で、ストロボ制御部３０１は、ストロボ装置３００がストロボ接点群１０９を介して、カメラ本体部１００と接続されているかどうかを判定する。カメラ本体部１００と接続されていると判定すれば、ステップＳ３０４に進み、そうでなければステップＳ３０３を繰り返す。
【００４３】
ステップＳ３０４で、ストロボ制御部３０１は、カメラ本体部１００からカメラ情報の受信を行う。ここで受信するカメラ情報は、当該カメラで設定している発光撮影モードを含む情報である。
【００４４】
ステップＳ３０５で、ストロボ制御部３０１は、ステップＳ３０２で変更した発光モードが連写優先自動調光モードかどうかの判定を行う。連写優先自動調光モードであればステップＳ３０６に進み、そうでなければステップＳ３０８に進む。
【００４５】
ステップＳ３０６で、ストロボ制御部３０１は、ステップＳ３０４で受信したカメラ情報から、接続しているカメラ本体部１００が自動発光撮影モードに設定されているかどうかの判定を行う。カメラ本体部１００が自動発光撮影モードに設定されている場合は、ステップＳ３０７に進み、そうでなければステップＳ３０８に進む。
【００４６】
ステップＳ３０７で、ストロボ制御部３０１は、発光モードを自動調光モードに変更する。発光モードは一時的に変更してもよいし、継続的に変更してもよい。ここで、一時的な変更とは、カメラとの接続中のみ発光モードを自動調光モードとし、カメラとの接続が解除されたことを検知すると発光モードを連写優先自動調光モードに戻すような動作である。
【００４７】
ステップＳ３０８で、ストロボ制御部３０１は、カメラ制御部１０１に設定された発光モードを示す情報を含むストロボ情報を送信して、本処理を終了する。
【００４８】
以上のように、ストロボ装置の発光モードが連写優先自動調光モードである場合はＩＳＯ感度を上げて（高くして）ストロボ装置の発光量を抑えた撮影となるため、連続撮影に適した露出制御値と発光量で発光撮影を行うことができる。また、ＩＳＯ感度の変更は撮影指示の前に完了しているので、ユーザーが撮影前に撮影感度を確認しながら、撮影を行うことができる。
【００４９】
さらに、ＩＳＯ感度の設定がマニュアル設定モードの場合でも、ストロボ装置の発光モードが連写優先自動調光モードであると検知するとＩＳＯ感度を自動設定に変更することで、ユーザーは自身でＩＳＯ感度を変更する手間がなくなる。
【００５０】
さらに、カメラが自動発光撮影モードに設定されている場合は、ストロボ装置の発光モードを自動的に自動発光撮影モードと対応する自動調光モードに変更することで、良好な自動調光撮影を行うことができる。また、ユーザーは自身で発光モードを変更する手間がなくなる。なお、ストロボ装置の発光モードが連写優先自動調光モードに設定されている場合は、カメラの発光撮影モードを自動的に連写優先自動調光モードと対応する強制発光撮影モードに変更してもよい。すなわち、カメラの自動発光撮影モードとストロボ装置の連写優先自動調光モードのいずれか一方が選択されているときに、カメラの自動発光撮影モードとストロボ装置の連写優先自動調光モードの他方が選択されないように制御すればよい。
【００５１】
以上、本発明の好ましい実施形態について説明したが、本発明はこれらの実施形態に限定されず、その要旨の範囲内で種々の変形及び変更が可能である。例えば、上記の実施形態においてカメラ制御部が実行した処理の少なくとも一部をストロボ制御部が実行するようにしてもよいし、ストロボ制御部が実行した処理の少なくとも一部をカメラ制御部が実行するようにしてもよい。
【符号の説明】
【００５２】
１００  カメラ本体部
１０１  カメラ制御部
１０５  カメラ操作部
１０６  カメラ表示部
３００  ストロボ装置
３０１  ストロボ制御部
３０２  発光部
３０３  ストロボ操作部
３０４  ストロボ表示部
【図１】
2020003581.tif 000003
【図２】
2020003581.tif 000004
【図３】
2020003581.tif 000005